(57)【特許請求の範囲】
【請求項１】
自動販売機本体の前面に配置された複数の商品サンプルに対して商品の冷温状態を表示する自動販売機の冷温表示装置において、
前記各商品サンプルごとに配置されるとともに、無端帯状に形成され、周方向の一部に冷状態を表示する冷表示部が設けられるとともに、周方向の他の部分に温状態を表示する温表示部が設けられ、冷表示部の一方の端側と温表示部の一方の端側との間に透明部を設けた複数の表示部材と、
各表示部材を冷表示部及び温表示部のうち任意の表示部を外部から目視可能とするように周方向に回動自在に支持する支持部材と、
表示部材に光を照射する蛍光灯とを備え、
冷表示部及び温表示部のうち任意の表示部を外部から目視可能とすると、蛍光灯の光が透明部を介して前記任意の表示部に照射されるように構成した
ことを特徴とする自動販売機の冷温表示装置。
【請求項２】
自動販売機本体の前面に配置された複数の商品サンプルに対して商品の冷温状態を表示する自動販売機の冷温表示装置において、
前記各商品サンプルごとに配置されるとともに、無端帯状に形成され、周方向の一部に冷状態を表示する冷表示部が設けられるとともに、周方向の他の部分に温状態を表示する温表示部が設けられ、冷表示部の一端側と温表示部の一端側との間に一つの価格表示部を設けるとともに、冷表示部の他端側と温表示部の他端側との間に透明部を設けた複数の表示部材と、
各表示部材を冷表示部及び温表示部のうち任意の表示部及び価格表示部を外部から目視可能とするように周方向に回動自在に支持する支持部材と、
表示部材に光を照射する蛍光灯とを備え、
冷表示部及び温表示部のうち任意の表示部及び価格表示部を外部から目視可能とすると、蛍光灯の光が透明部を介して前記任意の表示部及び価格表示部に照射されるように構成した
ことを特徴とする自動販売機の冷温表示装置。
【請求項３】
前記支持部材を、各表示部材の内周面側をそれぞれ複数の回動自在なローラによって支持するように構成した
ことを特徴とする請求項１または２記載の自動販売機の冷温表示装置。
【発明の詳細な説明】
【０００１】
【発明の属する技術分野】
本発明は、例えば缶、ビンまたはペットボトル入りの飲料を販売する自動販売機の冷温表示装置に関するものである。
【０００２】
【従来の技術】
従来、この種の冷温表示装置としては、例えば特開平１１−２１３２２８号公報に記載されているように、表面及び裏面の一方に冷状態、その他方に温状態を表示した複数の表示プレートを商品サンプル台の前端部にそれぞれ着脱自在に取付け、各表示プレートの任意の面を前面側に向けて配置することにより、各表示プレートに対応する商品サンプルの冷温状態を表示するようにしたものが知られている。
【０００３】
【発明が解決しようとする課題】
ところで、前記冷温表示装置は複数の表示プレートを備えているが、各表示プレートはそれぞれ複数ずつの商品サンプルに対応するように幅方向に長く形成されている。このため、任意の商品の冷温状態を変更する場合は、その表示プレートに対応する全ての商品を同一の冷温状態にしなければならず、一つの表示プレートに対応する商品の一部のみを他の商品と異なった冷温状態にしたい場合には極めて不都合であった。
【０００４】
本発明は前記問題点に鑑みてなされたものであり、その目的とするところは、複数の商品サンプルに対する冷温状態の表示を各商品サンプルごとに設定することのできる自動販売機の冷温表示装置を提供することにある。
【０００５】
【課題を解決するための手段】
本発明は前記目的を達成するために、請求項１では、自動販売機本体の前面に配置された複数の商品サンプルに対して商品の冷温状態を表示する自動販売機の冷温表示装置において、前記各商品サンプルごとに配置されるとともに、無端帯状に形成され、周方向の一部に冷状態を表示する冷表示部が設けられるとともに、周方向の他の部分に温状態を表示する温表示部が設けられ、冷表示部の一方の端側と温表示部の一方の端側との間に透明部を設けた複数の表示部材と、各表示部材を冷表示部及び温表示部のうち任意の表示部を外部から目視可能とするように周方向に回動自在に支持する支持部材と、表示部材に光を照射する蛍光灯とを備え、冷表示部及び温表示部のうち任意の表示部を外部から目視可能とすると、蛍光灯の光が透明部を介して前記任意の表示部に照射されるように構成している。
【０００６】
これにより、任意の表示部材を周方向に回動することにより、表示部材の各表示部の位置が周方向にずれて冷温表示が切替わる。この場合、各表示部材は各商品サンプルごとに配置されていることから、商品の冷温状態が各商品サンプルごとに設定可能となる。また、支持部材によって各表示部のうち任意の表示部を外部から目視可能とすると、蛍光灯の光が透明部を介して前記任意の表示部に照射され、前記任意の表示部がより明るく表示される。
【０００７】
また、請求項２では、自動販売機本体の前面に配置された複数の商品サンプルに対して商品の冷温状態を表示する自動販売機の冷温表示装置において、前記各商品サンプルごとに配置されるとともに、無端帯状に形成され、周方向の一部に冷状態を表示する冷表示部が設けられるとともに、周方向の他の部分に温状態を表示する温表示部が設けられ、冷表示部の一端側と温表示部の一端側との間に一つの価格表示部を設けるとともに、冷表示部の他端側と温表示部の他端側との間に透明部を設けた複数の表示部材と、各表示部材を冷表示部及び温表示部のうち任意の表示部及び価格表示部を外部から目視可能とするように周方向に回動自在に支持する支持部材と、表示部材に光を照射する蛍光灯とを備え、冷表示部及び温表示部のうち任意の表示部及び価格表示部を外部から目視可能とすると、蛍光灯の光が透明部を介して前記任意の表示部及び価格表示部に照射されるように構成している。これにより、請求項１の作用に加え、各表示部材に冷表示部または温表示部と価格表示部が表示されることから、商品価格の表示手段を別途必要としない。
【０００８】
また、請求項３では、請求項１または２記載の自動販売機の冷温表示装置において、前記支持部材を、各表示部材の内周面側をそれぞれ複数の回動自在なローラによって支持するように構成している。これにより、表示部材が各ローラによって回動自在に支持される。
【０００９】
【発明の実施の形態】
図１乃至図５は本発明の第１の実施形態を示すもので、図１は自動販売機の正面図、図２は冷温表示装置の部分正面図、図３はその部分平面断面図、図４はその側面断面図、図５はその要部分解斜視図である。
【００１０】
同図に示す自動販売機は、自動販売機本体１の前面に透明パネル１ａによって覆われた商品サンプル室２を備え、商品サンプル室２内には幅方向に配列された多数の商品サンプル２ａが上下複数列に配置されている。各商品サンプル２ａの下方にはそれぞれ商品選択ボタン３が設けられ、各商品選択ボタン３は商品サンプル２ａの各列に沿って幅方向に延びるボタン支持部材３ａに取付けられている。尚、図３及び図４において、各商品選択ボタン３の電気的なスイッチ構造については図示を省略する。また、自動販売機本体１の前面には、紙幣投入口４、硬貨投入口５、硬貨返却レバー６、硬貨返却口７、金額表示部８及び商品取出口９が設けられている。
【００１１】
更に、前記自動販売機は、各商品サンプル２ａの冷温状態を表示する冷温表示装置１０を備え、冷温表示装置１０は商品サンプル２ａの各列ごとに設けられている。この冷温表示装置１０は、各商品サンプル２ａの冷温状態及び商品価格を表示した複数の表示状態を表示した表示部材１１と、表示部材１１を回動自在に支持する支持部材としてのホルダ１２とからなり、表示部材１１及びホルダ１２はそれぞれ各商品サンプル２ａごとに一つずつ配置されている。
【００１２】
表示部材１１は無端状に形成された透明のフィルムからなり、その周方向の一部には冷状態を表示する冷表示部１１ａが設けられ、周方向の他の部分には温状態を表示する温表示部１１ｂが設けられている。この場合、冷表示部１１ａは所定の色（例えば青）の背景に表示された「ＣＯＬＤ」の白色文字、温表示部１１ｂは所定の色（例えば赤）の背景に表示された「ＨＯＴ」の白色文字からなる。また、各表示部１１ａ，１１ｂの一側方にはそれぞれ価格表示部１１ｃが設けられ、各価格表示部１１ｃは所定の色（例えば白）の背景に商品の価格（例えば「￥１２０」）を表示している。
【００１３】
ホルダ１２は表示部材１１の左右側方及び下方を覆うように形成され、その底面側には表示部材１１の内周面側を支持する複数の支持ピン１２ａが立設されている。即ち、表示部材１１は各支持ピン１２ａによって周方向の一部が前面側、周方向の他の部分が背面側に臨むように支持されるとともに、各支持ピン１２ａを摺動しながら周方向に回動可能になっている。ホルダ１２は商品選択ボタン３の上方に配置され、透明パネル１ａを貫通するように取付けられている。この場合、ホルダ１２は透明パネル１ａに後方から挿入され、その左右側面にそれぞれ設けた突部１２ｂを透明パネル１ａに係止することにより、前後方向の所定位置に位置決めされている。更に、表示部材１１の前面側はボタン支持部材３ａによって覆われるとともに、ボタン支持部材３ａには表示部材１１を外部から目視可能な透明の透視窓３ｂが商品選択ボタン３に近接して設けられている。また、ホルダ１２の後方には、各商品サンプル２ａを載置したサンプル台２ｂと、商品サンプル室２内を照明する蛍光灯２ｃが配置されている。
【００１４】
以上の構成においては、冷温表示装置１０の各ホルダ１２に支持された各表示部材１１により、各表示部材１１に対応する商品サンプル２ａの冷温状態及びその商品価格が表示される。この場合、各表示部材１１の周方向前面側に位置する表示部１１ａ（または１１ｂ）及びこれに対応する価格表示部１１ｃのみが外部から目視可能となる。その際、各表示部材１１は光透過性の部材からなり、背面側から蛍光灯２ｃの光を照射されることから、前面側の表示部１１ａ（または１１ｂ）及びこれに対応する価格表示部１１ｃが明るく表示される。また、任意の商品サンプル２ａの冷温表示を変更したい場合は、冷温表示を変更したい商品に対応する表示部材１１を周方向に回動することにより、各表示部１１ａ，１１ｂの位置が互いに前後反対になって冷温表示が切替わる。この場合、表示部材１１はホルダ１２の背面側から指先等で周方向にずらす操作を行うことにより、各表示部１１ａ，１１ｂの位置を変えることができる。
【００１５】
このように、本実施形態によれば、周方向二箇所にそれぞれ冷状態及び温状態を表示した表示部材１１を各商品サンプル２ａごとに備え、各表示部材１１をホルダ１２にそれぞれ回動自在に設け、表示部材１１を周方向に回動することによりそれぞれ冷温表示を切替えるようにしたので、各商品サンプル２ａごとに任意の冷温表示が可能となり、各商品サンプル２ａに対応する商品を個別に冷状態または温状態に設定することができる。この場合、各表示部材１１は指先等で周方向にずらす操作を行うことにより、各表示部１１ａ，１１ｂの位置を変えることができるので、冷温表示の切替作業を極めて容易に行うことができる。また、各表示部材１１には冷表示部１１ａ及び温表示部１１ｂにそれぞれ対応する商品価格を表示した価格表示部１１ｃを設けたので、商品価格の表示手段を別途必要とせず、部品点数を少なくすることができる。更に、各表示部材１１を商品選択ボタン３に近接するように配置したので、商品選択ボタン３を操作する際に冷温表示を確認し易くなり、冷温状態の異なった商品の選択ミスを確実に防止することができる。
【００１６】
また、図６に示すように冷表示部１１ａの一端側と温表示部１１ｂの一端側との間に一つの価格表示部１１ｃを設けるとともに、冷表示部１１ａの他端側と温表示部１１ｂの他端側との間には透明部１１ｄを設けるようにしてもよい。これにより、冷表示部１１ａ（または温表示部１１ｂ）と価格表示部１１ｃが前面側に配置されると、その背面側には透明部１１ｄが配置されることから、蛍光灯２ｃの光（図６の白抜き矢印）が透明部１１ｄを介して前面側の各表示部１１ａ，１１ｃを照射し、各表示部１１ａ，１１ｃがより明るく表示される。
【００１７】
尚、前記実施形態では各表示部材１１の各表示部１１ａ，１１ｂに冷状態及び温状態をそれぞれ表示するようにしたが、各表示部材１１ａ，１１ｂに同一の冷温状態を表示し、各表示部材１１ａ，１１ｂに対応する価格表示部１１ｃの表示を異なった価格にするようにしてもよい。また、前記実施形態の各表示部材１１における冷温表示は一例であり、単に「冷」及び「温」と表示するなど、種々の表現を用いることが可能である。
【００１８】
図７乃至図１１は本発明の第２の実施形態を示すもので、図７は冷温表示装置の部分正面図、図８はその部分平面断面図、図９はその側面断面図、図１０はその要部分解斜視図、図１１はその要部平面図である。尚、前記実施形態と同等の構成部分には同一の符号を付して示す。
【００１９】
即ち、同図に示す冷温表示装置２０は、各商品サンプル２ａの冷温状態及び商品価格を表示した複数の表示部材２１と、表示部材２１を回動自在に支持する支持部材としての一対のローラ２２とからなり、表示部材２１及びホルダ２２はそれぞれ各商品サンプル２ａごとに一つずつ配置されている。
【００２０】
表示部材２１は無端状に形成された透明のフィルムからなり、第１の実施形態と同様、その周方向の一部には冷状態を表示する冷表示部２１ａが設けられ、周方向の他の部分には温状態を表示する温表示部２１ｂが設けられている。
【００２１】
各ローラ２２は互いに左右方向に配置され、それぞれ表示部材２１の内周面側を支持している。また、各ローラ２２の上端及び下端には、その回転軸２２ａがそれぞれ突設されている。
【００２２】
本実施形態の商品選択ボタン２３はボタン支持部材２３ａに支持されるとともに、ボタン支持部材２３ａの内面側には各ローラ２２を回動自在に支持する上下一対のローラ支持片２３ｂが設けられている。各ローラ支持片２３ｂは、ローラ２２の回転軸２２ａをそれぞれ支持する孔２３ｃと、孔２３ｃからローラ支持片２３ｂの後端まで延びる切り欠き２３ｄとを有し、各ローラ２２の回転軸２２ａは切り欠き２３ｄを介して孔２３ｃに受容されるようになっている。この場合、切り欠き２３ｄの幅Ｗはローラ２２の回転軸２２ａの直径Ｄよりも若干狭く形成されており、ローラ２２を着脱する際はローラ２２の回転軸２２ａを切り欠き２３ｄに圧入可能であるが、孔２３ｃに支持されたローラ２２は自ら切り欠き２３ｄ側に外れることはない。また、ボタン支持部材２３ａの前面側には、表示部材２１を外部から目視可能な透明の透視窓２３ｅが商品選択ボタン２３に近接して設けられている。
【００２３】
即ち、本実施形態によれば、第１の実施形態と同様の効果を得ることができるとともに、表示部材２１が一対の回動自在なローラ２２によって支持されているので、表示部材２１の回動操作を常に円滑に行うことができる。
【００２４】
図１２及び図１３は本発明の第３の実施形態を示すもので、図１２は冷温表示装置の部分正面図、図１３はその側面断面図である。尚、前記実施形態と同等の構成部分には同一の符号を付して示す。
【００２５】
即ち、同図に示す冷温表示装置３０は、各商品サンプル２ａの冷温状態及び商品価格を表示した複数の表示部材３１と、表示部材３１を回動自在に支持する支持部材としての一対のローラ３２とからなり、表示部材３１及びローラ３２は各商品選択ボタン３３にそれぞれ一体に設けられている。各商品選択ボタン３３はボタン支持部材３３ａに支持されるとともに、商品選択ボタン３３の内面側には各ローラ３２を回動自在に支持する上下一対のローラ支持片３３ｂが設けられている。尚、表示部材３１及びローラ３２の形状並びにその支持構造については、前記第２の実施形態と同様であるため説明を省略する。また、商品選択ボタン３３の前面側には、表示部材３１を外部から目視可能な透明の透視窓３３ｅが設けられている。
【００２６】
即ち、本実施形態によれば、第２の実施形態と同様の効果を得ることができるとともに、商品選択ボタン３３に冷温表示装置３０が一体に設けられているので、冷温状態の異なった商品の選択ミスをより確実に防止することができる。
【００２７】
尚、前記第３の実施形態では第２の実施形態と同様の冷温表示装置３０を商品選択ボタン３３に一体に設けたものを示したが、第３の実施形態における冷温表示装置は第１の実施形態と同様のものであってもよい。
【００２８】
【発明の効果】
以上説明したように、請求項１の冷温表示装置によれば、複数の表示部材によって各商品サンプルごとに任意の冷温表示が可能となるので、各商品サンプルに対応する商品を個別に冷状態または温状態に設定することができ、しかも冷温表示の切替作業を極めて容易に行うことができる。
【００２９】
また、支持部材によって各表示部のうち任意の表示部のみを外部から目視可能とすると、蛍光灯の光が透明部を介して前記任意の表示部に照射され、前記任意の表示部がより明るく表示される。
【００３０】
また、請求項２の冷温表示装置によれば、請求項１の効果に加え、商品価格の表示手段を別途必要としないので、部品点数を少なくすることができる。
【００３１】
また、請求項３の冷温表示装置によれば、請求項１または２の効果に加え、表示部材が各ローラによって回動自在に支持されるので、表示部材の回動操作を常に円滑に行うことができる。
【図面の簡単な説明】
【図１】本発明の第１の実施形態を示す自動販売機の正面図
【図２】冷温表示装置の部分正面図
【図３】冷温表示装置の部分平面断面図
【図４】冷温表示装置の側面断面図
【図５】冷温表示装置の要部分解斜視図
【図６】表示部材の平面断面図
【図７】本発明の第２の実施形態を示す冷温表示装置の部分正面図
【図８】冷温表示装置の部分平面断面図
【図９】冷温表示装置の側面断面図
【図１０】冷温表示装置の要部分解斜視図
【図１１】冷温表示装置の要部平面図
【図１２】本発明の第３の実施形態を示す冷温表示装置の部分正面図
【図１３】冷温表示装置の側面断面図
【符号の説明】
１…自動販売機本体、２ａ…商品サンプル、１０…冷温表示装置、１１…表示部材、１２…ホルダ、２０…冷温表示装置、２１…表示部材、２２…ローラ、３０…冷温表示装置、３１…表示部材、３２…ローラ、３３…商品選択ボタン。
【図１】
0003998876.tif 000002
【図２】
0003998876.tif 000003
【図３】
0003998876.tif 000004
【図４】
0003998876.tif 000005
【図５】
0003998876.tif 000006
【図６】
0003998876.tif 000007
【図７】
0003998876.tif 000008
【図８】
0003998876.tif 000009
【図９】
0003998876.tif 000010
【図１０】
0003998876.tif 000011
【図１１】
0003998876.tif 000012
【図１２】
0003998876.tif 000013
【図１３】
0003998876.tif 000014